(57)【要約】 【課題】本発明は、注腸治療の施術が容易で、施術後に使用した用具の後処理、廃棄が容易で、後処理、廃棄を衛生的かつ安全に行うことができ、飼い主の前で施術を行う場合のデモンストレーション効果に優れているオゾンの注腸治療用用具を提供することを課題とする。【解決手段】  本発明の注腸治療用用具１は、底部を有する筒状の収納管２と、密封栓３と、カテーテル４とを有し、密封栓３は収納管２の入り口を封止することができ、さらにカテーテル４が密封栓３を収納管の長手方向に向いて貫いている。【選択図】      図１
2020080911.tif 000002
【特許請求の範囲】
【請求項１】
底部を有する筒状の収納管と、密封栓と、カテーテルとを有し、該密封栓は収納管の入り口を封止することができ、さらに該カテーテルが該密封栓を収納管の長手方向に向いて貫いていることを特徴とするオゾンの注腸治療用用具。
【請求項２】
前記収納管の長手方向に向いて孔が形成され、該カテーテルが該孔に擢動可能に挿入されている、請求項１に記載のオゾンの注腸治療用用具。
【請求項３】
前記カテーテルの先端が丸みのある形状であり、カテーテル内の流路がカテーテルの先端近傍において、カテーテルの長手方向または長手方向に対して直角方向に開通している、請求項１又は２に記載のオゾンの注腸治療用用具。
【請求項４】
前記カテーテルに、先端を基準とする目盛又は目安が設けられている、請求項１〜３のいずれかに記載のオゾンの注腸治療用用具。
【請求項５】
収納管の底部の内側に潤滑剤が充填されている、請求項１〜４のいずれかに記載のオゾンの注腸治療用用具。
【発明の詳細な説明】
【技術分野】
【０００１】
本発明は、オゾンの注腸治療用用具に関し、詳しくはオゾン含有ガスを動物や人間の腸内に注入し、疾患を治療するために用いられるオゾンの注腸治療用用具に関する。
【背景技術】
【０００２】
オゾンは、殺菌効果を有し、さらに各種の難治性疾患に対して治療効果を有することが知られている。実際に、オゾンを用いた動物や人間の疾患の治療が行われている。なお、オゾンによる治療に用いられる治療装置としては、特許文献１や特許文献２に記載の装置がある。
【先行技術文献】
【特許文献】
【０００３】
【特許文献１】特開平９−１５４８６２号公報
【特許文献２】特開２００８−２８９５２３
【０００４】
オゾンを用いた治療方法の一つとして、オゾン注腸法がある。オゾン注腸法は動物等の肛門から腸内にオゾン含有ガスを注入する治療法である。従来におけるオゾン注腸法の施術においては、図３に示すように、カテーテル４の一方の端にオゾン含有ガスを充填したシリンジ１１を取り付け、カテーテルの他方の端を肛門１２に挿入し、シリンジのピストン１１ａを押し込んでオゾン含有ガスを腸内に注入することによって行っていた。
【０００５】
前記注腸法の場合、治療後に肛門から引き抜かれたカテーテルに便が付着していることが多い。この便には感染症を引き起こす細菌などが付着しているので後始末が重要である。従来の方法においては、使用後のカテーテルをポリ袋等に包装して廃棄することが行われていた。しかし、カテーテルを包装する際の便の付着による環境汚染の防止、包装後にカテーテルが袋等から飛び出すことによる環境汚染の防止という点で未だ充分ではなかった。その作業も簡便であるとは言えなかった。また、動物を治療する場合、飼い主の見ている前で注腸治療を行うことが多く、その場合、円滑かつスマートに治療し、治療後の治療器具の処理をスピーディかつスマートに行うことができれば、飼い主に好印象を与えることができる。
【発明の概要】
【発明が解決しようとする課題】
【０００６】
本発明は、注腸治療の施術が容易で、施術後に使用した用具の後処理、廃棄を容易、衛生的かつ安全に行うことができ、飼い主の前で施術を行う場合のデモンストレーション効果に優れるオゾンの注腸治療用用具を提供することを課題とするものである。
【課題を解決するための手段】
【０００７】
本発明によれば、以下に示すオゾンの注腸治療用用具が提供される。
［１］底部を有する筒状の収納管と、密封栓と、カテーテルとを有し、該密封栓は収納管の入り口を封止することができ、さらに該カテーテルが該密封栓を収納管の長手方向に向いて貫いていることを特徴とするオゾンの注腸治療用用具。
［２］前記収納管の長手方向と平行な方向に孔が形成され、該カテーテルが該孔に擢動可能に挿入されていることにより、該カテーテルが該密封栓を収納管の長手方向に向けて貫いている、前記１に記載のオゾンの注腸治療用用具。
［３］前記カテーテルの先端が丸みのある形状であり、カテーテル内の流路がカテーテルの先端近傍において、カテーテルの長手方向または長手方向に対して直角方向に開通している、前記１又は２に記載のオゾンの注腸治療用用具。
［４］前記カテーテルに、先端を基準とする目盛又は目安が設けられている、前記１〜３のいずれかに記載のオゾンの注腸治療用用具。
［５］収納管の底部の内側に潤滑剤が充填されている、前記１〜４のいずれかに記載のオゾンの注腸治療用用具。
【発明の効果】
【０００８】
本発明の注腸治療用用具は、特定の収納管と、キャップと、カテーテルとからなるので、保管が容易で、注腸治療の準備、施術が容易で、施術後の後処理、廃棄を容易、衛生的かつ安全に行うことができ、飼い主の前で行う場合のデモンストレーション効果に優れるものである。
【図面の簡単な説明】
【０００９】
【図１】図１は本発明の注腸治療用用具の縦断面図である。
【図２】図２（ａ）（ｂ）（ｃ）は本発明の注腸治療用用具の使用方法の説明図である。
【図３】図３は従来において、注腸治療に用いられていた用具の説明図である。
【発明を実施するための形態】
【００１０】
以下、本発明の注腸治療用用具について詳細に説明する。
本発明の注腸治療用用具１は、図１に示すように、底部を有する筒状の収納管２と、密封栓３と、カテーテル４とを有するものである。
さらに、キャップ３は収納管２の入り口を封止することができ、カテーテル４は密封栓３を収納管の長手方向に向いて貫いている。
以降の説明において、注腸治療用用具を単に「キット」ともいい、密封栓を「キャップ」ともいう。
【００１１】
収納管２の材質は、熱可塑性樹脂や熱硬化性の合成樹脂や、ガラスなどの硬質のものが好ましく用いられる。内部が見えることから、無色透明であることが好ましい。
【００１２】
収納管２の形状は、取扱いや製造の容易さから、円柱状や角柱状が好ましい。収納管２は底部を有するので、収納管２の中の汚物が漏れ出すことが防止される。
また、底部まわりは、円錐状や角錐状に形成されていることが好ましい。このように先端に向かって絞られていると、後述するワセリン等の潤滑剤を充填する量が少なくてすむので好ましい。
なお、以下の説明においては、収納管２が円柱状で、底部が円錐状に絞られている形状である場合について説明する。
【００１３】
収納管２の短手方向（幅方向）寸法は、円柱状の場合で、直径１０〜３０ｍｍが好ましく、より好ましくは１２〜２５ｍｍ、さらに好ましくは１４〜１８ｍｍである。収納管２の長さは、８０〜１２０ｍｍが好ましく、より好ましくは９０〜１１０ｍｍ、さらに好ましくは９５〜１１０ｍｍである。内容積として、５〜１５ｍＬが好ましく、より好ましくは８〜１２ｍＬである。収納管２の寸法がこの範囲内であれば、後述するカテーテルを手際よく取り出したり、収納したりすることができる。
【００１４】
キャップ３は収納管２の入り口を封止し、密閉するために用いられる。収納管２を密閉することができれば、施術後にカテーテル４を収納管２の中に戻した後に、カテーテル４に付着した汚物が収納管２の入り口から漏れ出すことが防止される。さらに、汚物に起因する感染症の伝染が防止される。
なお、封止し、密閉するとは、収納管２とキャップ３との間のことをいい、カテーテル４の流露は外部と通じている。
【００１５】
キャップ３の材質は、密閉性に優れることから、弾性のある合成樹脂、合成ゴムなどが好ましい。
【００１６】
キャップ３は、収納管２の入り口を封止し、密閉できるものである。そのために、該入り口に勘入可能な構造であったり、ボルトとナットのような螺旋状の構造であることが好ましい。勘入可能な構造の例としては、先端部に蛇腹状の凹凸が形成されている構造がある。また、キャップ３を引き出したり、嵌め込んだりしやすいことから、蛇腹状の凹凸の反対側には、収納管２の直径より大きな径の鍔部が設けられていることが好ましい。さらに、蛇腹状の凹凸と鍔部の間には収納管２と同じ直径の段部が形成され、蛇腹状の凹凸と該段部と該鍔部とが三段構造をなしていることが好ましい。このようになっていると、蛇腹状の凹凸を収納管２の入り口に勘入させて、該断部を収納管２の入り口に当接させることにより、効果的に封止し、密閉することができる。
【００１７】
カテーテルとは、医療用に用いられる柔らかい管のことをいう。
カテーテル４は、動物や人間の肛門に挿入しやすいことから、その直径は２〜１０ｍｍが好ましく、より好ましくは３〜８ｍｍ、さらに好ましくは４〜６ｍｍである。カテーテルの材質は、オゾン耐性の材質で可撓性に優れた熱可塑性樹脂などが好ましい。
【００１８】
カテーテル４の先端の形状に制限はないが、丸みのある形状に加工されていることが好ましい。このようになっていると、肛門を傷つけることが防止される。また、図１に示すように、カテーテル４の先端近傍において、カテーテル内のオゾン含有ガスの流路が向く方向に制限はなく、例えばカテーテルの長手方向に開通させることもでき、長手方向に対して直角方向に開通させることもできるが、長手方向に対して直角方向に開通していることが好ましい。このようになっていると、流路が塞がれることが防止され、オゾン含有ガスを腸内に効果的に注入することができる。
【００１９】
カテーテルとしては、尿道カテーテルや牛の人工授精に用いられているシース管や栄養カテーテルなどを好適に用いることができる。
収納管とキャップとしては、試験管、スピッツ管、遠沈管、スピッチなどを好適に用いることができる。
【００２０】
カテーテル４はキャップ３を収納管２の長手方向に向いて貫いている。従って、収納管２からキャップ３を取り外せば、カテーテル４を用いて直ちに注腸治療の施術をすることができる。また、施術後には、汚物が付着しているカテーテル４を収納管２の中に挿入し、キャップ３を収納管２の入り口に勘入させる等により、封止し、汚物の漏れ出しを防止することができる。
【００２１】
キャップ３には、収納管２の長手方向に向いて孔３ａが形成されていることが好ましく、カテーテル４はキャップの孔３ａに擢動可能に挿入されていることが好ましい。このように構成されていると、キャップをスライドさせてカテーテル４の所望の位置にキャップを移動させることができるので便利である。
【００２２】
カテーテルに、先端を基準とする目盛又は目安が設けられていることが好ましい。目盛又は目安が設けられていると、肛門から直腸に挿入する必要のあるカテーテルの長さのところまでキャップ３をスライドさせて位置決めをすることにより、施術が容易になる。目盛を振る場合、カテーテル４の先端から１０ｍｍ間隔で７０ｍｍ程度まで、目安の場合にはカテーテル４の先端から３０ｍｍと５０ｍｍの位置に刻むことが好ましい。なお、小型動物の場合には、カテーテル４の先端から３０ｍｍの位置まで、大型動物の場合には、カテーテル４の先端から５０ｍｍの位置まで肛門から直腸に挿入する場合が多いことによるものである。
【００２３】
前記収納管２の底部の内側に潤滑剤が充填されていることが好ましい。このようになっていると、カテーテル４を収納管２の中に差し込むだけで、カテーテル４の先端に潤滑剤が塗布されるので、肛門を傷つけることなくカテーテルを挿入することができる。該潤滑剤としては、ワセリン、オゾン化オイル、グリセリンなどが挙げられる。
【００２４】
次に、図２を用いて、本発明のキットの使用方法について説明する。
まず、図２（ａ）に示すように、本発明のキット１を準備し、オゾン含有ガスを採取したシリンジをカテーテル４に取り付ける。
次に、図２（ｂ）に示すように、収納管２からキャップ３をカテーテル４と共に取り外す。  
次に、図２（ｃ）に示すように、キャップ３をスライドし、カテーテル４の目盛又は目安を参考に、カテーテル４を肛門に挿入する部分手前まで移動する。
カテーテル４の先端には、既にワセリンなどの潤滑剤が塗布されているので、直ちに施術することができる。従って、施術の準備作業が簡易である。
施術後は、カテーテル４の汚物が付着した部分を収納管２に挿入し、収納管２の入り口をキャップ３で封止すれば、汚物が環境を汚染することを防止することができる。従って、廃棄作業が簡易である。
本発明のキットを用いると、動物に対する施注腸治療の施術を飼い主の前で行っても、スムーズ、スピーディに作業を行うことができるので、デモンストレーション効果を発揮することができる。
【００２５】
オゾンの発生には、酸素ボンベと、酸素誘導用の配管を介して該酸素ボンベがオゾン発生装置に接続された装置を用いることができる。
具体的には、例えば、（有）オーテック・ラボ製の「ペットファイン」が挙げられる。
【００２６】
本発明のキットを用いたオゾンの注腸治療の適応疾患としては、（ａ）有痛性急性疾患（外傷、椎間板ヘルニア、、腱鞘炎、）、（ｂ）有痛性慢性疾患（腰痛、膝関節痛、肩関節周囲炎、肩こり等）、（ｃ）末梢循環障害症（閉塞性動脈硬化症  静脈瘤、リンパ流障害）、（ｄ）皮膚感染症（ウィルス、細菌、真菌）、（ｅ）胃腸機能異常症（大腸炎、便秘等）等が挙げられる。
【００２７】
本発明のキットを用いる注腸治療は、カテーテル、潤滑剤、施術後に使用した用具を入れて廃棄するための袋等を、別々に用意する必要がないので、施術の手間を簡単化できる。
本発明のキットを用いる場合、ワセリン等の潤滑剤が充填塗布されたカテーテルが収納管で保護されているので、用具の保管が容易である。
【符号の説明】
【００２８】
１    本発明の注腸治療用用具
２    底部を有する筒状の収納管
３    キャップ
３ａ  孔
４    カテーテル
４ａ  オゾン含有ガスの流露
４ｂ  オゾン含有ガスの流露
５    目盛又は目安
６    潤滑剤
１１    シリンジ
１１ａ  ピストン
１２    肛門〜直腸  模型図
【図１】
2020080911.tif 000003
【図２】
2020080911.tif 000004
【図３】
2020080911.tif 000005